(57)【特許請求の範囲】
【請求項１】
ポリオレフィンと、改質剤を含む、改質されたポリオレフィン物性を有する組成物であって、改質剤の量が改質剤とポリオレフィンとの合計量を基準として０．００１〜１重量％であり、前記改質剤が下式（Ｉ’）の化合物を含むか、
0003820440.tif 000017
（式中、Ｍは、Ｎa、Ｌi、ＮＨ4、およびＺnからなる群から選択され、さらに、二つのＣＯＯ−Ｍ+基が互いにトランス関係に配置されている。）
または、
下式（II）の化合物
0003820440.tif 000018
（式中、Ｒ８は各々独立に、−ＨまたはＣ1-18アルキル基である。）
もしくはその塩、を含む組成物。
【請求項２】
ポリオレフィンの物性を改善する方法であって、その方法が、前記ポリオレフィンに改質剤を添加するステップを含み、その改質剤の量が前記改質剤とポリオレフィンとの合計量を基準として０．００１〜１重量％であり、前記改質剤が下式（Ｉ’）の化合物を含むか、
0003820440.tif 000019
（式中、Ｍは、Ｎa、Ｌi、ＮＨ4、およびＺnからなる群から選択され、さらに、二つのＣＯＯ−Ｍ+基が互いにトランス関係に配置されている。）
または、
下式（II）の化合物
0003820440.tif 000020
（式中、Ｒ８は各々独立に、−ＨまたはＣ1-18アルキル基である。）
もしくはその塩、を含む方法。
【発明の詳細な説明】
技術分野
本発明はポリプロピレンなどのポリオレフィン類から生成される組成物の特性を改善することのできる改質剤に関する。これらの改質剤により、ポリマーおよびポリマーブレンドに添加されるとその光学的特性ならびに物性を改善することができる。本発明はさらに、ポリオレフィンと本願明細書において述べるような改質剤とを含む組成物、および本発明の改質剤を利用してポリオレフィンの光学的特性ならびに物性を改善する方法に関する。
発明の背景
ポリプロピレンををはじめとするポリオレフィン類は、様々な工業的用途に利用されている。これらの用途の中には、包装用、保存容器類、使い捨て医療用具類など、製品または物品が光学的に透明であることが必要であるかまたは望ましいものである。ポリオレフィン類の光学的特性ならびに物性は、結晶化プロセスにおける核生成部位数と核生成速度に大きく依存する。安定化ポリプロピレン等のポリオレフィン類における全般的な結晶化プロセスの核生成段階は一般に遅いため、形成される核生成部位の数は比較的少ない。
これらの核生成部位は、それに引き続く結晶化段階で球晶が成長を開始する点である。この核生成部位数が少ないため、球晶は大きなサイズまで成長することができる。この球晶の大きさが入射光の波長よりも大きくなると、光が散乱され、このようなポリオレフィンの見た目は曇った状態になる。
処理の際に成核剤および／または清澄剤（「改質剤」）を添加することにより、この球晶の大きさを小さくし、かかるポリオレフィンの光学的特性を改善することができる。これらの薬剤は、核生成部位数を増やし、したがって核生成速度を高める。
この不均一な核生成の結果として、これらの部位で形成される球晶の大きさはさらに小さくなり、また球晶がより多数となる。この球晶の大きさが入射光の波長よりも小さくなると、入射光の散乱が実質的に減少し、樹脂は透明に見えるようになる。
球晶サイズの減少は、ポリオレフィンの物性にも影響を及ぼす。例えば、改質剤を添加することにより、曲げ弾性率、加熱撓み温度、衝撃強さおよび破断点伸びを変化させることができる。核生成が不均質になるほど樹脂の結晶化開始温度は高くなる。これにより処理時のサイクル・タイムが減少し、より大きな製造効率を得ることができる。
成核剤および清澄剤は、高分子の技術分野においては一般に周知のものである。米国特許第５，１３５，９７５５号では、市販品であるミリケン・ケミカルズ社（Ｍｉｌｌｉｋｅｎ  Ｃｈｅｍｉｃａｌｓ)のＭｉｌｌａｄTM製品群として知られている清澄剤が記載されている。これらの添加剤、特にＭｉｌｌａｄTM  ３９８８は良好な官能的性質と耐プレートアウト性を有するが、見た目に白い斑点が生じる結果となる分散の問題に直面した利用者もいる。これらの白い斑点が見えるのを防止するには、比較的高い加工温度を必要とする。これに関連した清澄剤が、特開昭５７−０１８６８２号および特公昭６１−０１７８３４号に記載されている。
米国特許第５，３４２，８６８号では、様々な結晶質の合成樹脂のための清澄剤として種々の有機リン塩が記載されている。これらの添加剤は十分に機能しているが、有機リン塩は高コストであり、このため大規模で使用するには多少なりとも非経済的なものである。
先行技術において、ポリプロピレン等のポリオレフィン類に添加可能であり、ポリオレフィンと相溶性があり、かつポリオレフィン処理条件下で安定あって、これによりポリオレフィンの光学的特性および／または物性を改善し、さらに効率よく入手または生産することができる薬剤に需要がある。
発明の開示
本願発明者らは、以下に示す式（Ｉ’）および（ＩＩ）の化合物およびそれらの塩が、特に成核剤および／または清澄剤として、ポリオレフィン用の有用な改質剤であることを見出した。
本発明では、ポリオレフィンと、成核および／または清澄化に有効な量の以下に示す式（Ｉ’）または（ＩＩ）の化合物もしくはその塩を含む組成物を提供する。
さらに、本発明では、以下に示す式（Ｉ’）または（ＩＩ）の化合物もしくはその塩を有効量でポリオレフィンに添加することにより、ポリオレフィンの結晶化度を高める方法を提供する。
本発明では、以下に示す式（Ｉ’）および（ＩＩ）の化合物は、例えば成核剤および／または清澄剤など、ポリオレフィン用の改質剤として作用する。成核剤は、結晶形成部位を提供、球晶形成数を増加させることにより、強度、耐候性、耐溶剤性、加熱撓み温度などのポリオレフィンの物性を改善する作用を有する。球晶が可視光を散乱するのに十分な大きさを有する場合は、ポリオレフィン材料は光学的に透明ではなくなる。清澄剤を用いることで、周囲光を散乱させることの少ない十分に小さい球晶が形成され、光学的に一層透明な組成物が得られる。一般に、降伏応力や耐衝撃性などポリオレフィンの様々な物性は、球晶の大きさが小さくなるにつれて変化しやすくなるため、使用する改質剤の種類および量を決定する場合には、所望の光学的透明度および物性とのバランスをとる必要がある。
発明の詳細な説明
本発明の改質剤は、式（Ｉ’）または（ＩＩ）の化合物である。
本発明は、第一の態様において、ポリオレフィンと、改質剤を含む、改質されたポリオレフィン物性を有する組成物であって、改質剤の量が改質剤とポリオレフィンとの合計量を基準として０．００１〜１重量％であり、前記改質剤が下式（Ｉ’）の化合物を含むか、
0003820440.tif 000002
（式中、Ｍは、Ｎa、Ｌi、ＮＨ4、およびＺnからなる群から選択され、さらに、二つのＣＯＯ−Ｍ+基が互いにトランス関係に配置されている。）
または、
下式（II）の化合物
0003820440.tif 000003
（式中、Ｒ８は各々独立に、−ＨまたはＣ1-18アルキル基である。）
もしくはその塩、を含む組成物に関する。
本発明は、第２の態様において、ポリオレフィンの物性を改善する方法であって、その方法が、前記ポリオレフィンに改質剤を添加するステップを含み、その改質剤の量が前記改質剤とポリオレフィンとの合計量を基準として０．００１〜１重量％であり、前記改質剤が下式（Ｉ’）の化合物を含むか、
0003820440.tif 000004
（式中、Ｍは、Ｎa、Ｌi、ＮＨ4、およびＺnからなる群から選択され、さらに、二つのＣＯＯ−Ｍ+基が互いにトランス関係に配置されている。）
または、
下式（II）の化合物
0003820440.tif 000005
（式中、Ｒ８は各々独立に、−ＨまたはＣ1-18アルキル基である。）
もしくはその塩、を含む方法に関する。
特に、好ましい改質剤としては、以下の式（ＩＩＩ）に示されるものが挙げられる。
0003820440.tif 000006
所望の光学的特性および／または物性を提供するために十分な量の改質剤を本発明の組成物中で含有させることができる。好ましくは、総組成物の総重量に対して約０．００１〜１重量％、さらに好ましくは約０．１５〜０．７重量％の範囲の量で改質剤を含有させるとよい。
本発明において有用な改質剤は、公知でありかつ市販されているものであるか、あるいは、化学業者においては公知である方法を用いて容易に合成することができる。例えば、
Ｓｎｉｄｅｒ  ｅｔ  ａｌ．、Ｊ．Ｏｒｇ．Ｃｈｅｍ．、６０、ｐｐ．５３７６〜５３７７（１９９５）で述べられている手順を用いて調製することができる。
本発明の改質剤は、ポリプロピレン等のポリオレフィン類はもとより、少なくとも１種のオレフィン系モノマーを含有するモノマー由来の他のポリオレフィンコポリマーの物性も改善することができる。ＡＳＴＭ  Ｄ−１２３８に従って測定したポリオレフィンの溶融流量は通常は約１〜７０、好ましくは約７〜３５ｇ／１０分の範囲である。
本発明の組成物において有用なポリオレフィンとしては、一般式ＣＨ2=ＣＨＲ”（式中、Ｒ”は、水素またはＣ1-18アルキルである）で表される１種または複数のオレフィン系モノマー由来のポリマーおよびコポリマーが挙げられる。かかるオレフィン系モノマーの例としては、プロピレン、エチレン、および１−ブテンが挙げられるが、一般にはプロピレンが好ましい。かかるオレフィン系モノマー由来のポリオレフィンの代表例としては、ポリエチレン、ポリプロピレン、ポリブテン−１、ポリ（３−メチルブテン）、ポリ（４−メチルペンテン）の他、プロピレン、１−ブテン、１−ヘキセン、１−オクテン、デセン−１，４−メチル−１−ペンテンおよび１−オクタデセンとエチレンとのコポリマーが挙げられる。
このポリオレフィンは、オレフィン系モノマー由来のコポリマーと、オレフィン系モノマーと共重合可能な１種または複数の他のコモノマーとを任意に含んでもよい。これらのコモノマーは、ポリオレフィンの総重量に対して約１〜１０重量％の範囲の量でポリオレフィン中に存在させることが可能である。有用な上記のコモノマーとしては、例えば、酢酸ビニル、プロピオン酸ビニル、酪酸ビニル、塩化酢酸ビニル、塩化プロピオン酸ビニルなどのビニルエステルモノマー；アクリル酸、メタクリル酸、エタクリル酸、アクリル酸メチル、アクリル酸エチル、Ｎ，Ｎ−ジメチルアクリルアミド、メタクリルアミド、アクリロニトリルなどの、アクリル酸とα−アルキルアクリル酸モノマーおよびそのアルキルエステル、アミド、およびニトリル類；スチレン、ｏ−メトキシスチレン、ｐ−メトキシスチレンおよびビニルナフタレンなどのビニルアリールモノマー類；塩化ビニル、塩化ビニリデンおよび臭化ビニリデンなどのビニルおよびビニリデンのハロゲン化物モノマー；マレイン酸ジメチル、マレイン酸ジエチルなどのマレイン酸およびフマル酸のアルキルエステルモノマー；ビニルメチルエーテル、ビニルエチルエーテル、ビニルイソブチルエーテルおよび２−クロロエチルビニルエーテルなどのビニルアルキルエーテルモノマー；ビニルピリジンモノマー、Ｎ−ビニルカルバゾールモノマーおよびＮ−ビニルピロリジンモノマーが挙げられる。
このポリオレフィンには、ポリオレフィンの金属塩、あるいは遊離カルボン酸基を含むポリオレフィン金属塩とのブレンドを含有させてもよい。前記カルボン酸ポリマーの塩を得るために利用できる金属の実例としては、ナトリウム、リチウム、カリウム、カルシウム、マグネシウム、アルミニウム、バリウム、亜鉛、ジルコニウム、ベリリウム、鉄、ニッケル、およびコバルトなどの一価、二価および三価の金属が挙げられる。
好ましいポリオレフィン類としては、ポリプロピレン単独重合体、およびプロピレンと、エチレン、１−ブテン、１−ヘキセン、１−オクテン、４−メチル−１−ペンテン、酢酸ビニル、またはアクリル酸メチルとの共重合体、が挙げられる。
このポリオレフィンとしては、上記ポリオレフィン類に他のポリオレフィン類または共重合体をブレンドしたもの、あるいは酸化防止剤、光安定剤、酸中和剤、充填剤、粘着防止剤および顔料などの従来の補助剤を含む上記ポリオレフィン類のブレンドも挙げることができる。
本発明で有用なポリオレフィン類の代表的なブレンドとしては、ポリエチレンとポリプロピレンとのブレンド、低密度ポリエチレンと高密度ポリエチレンとのブレンド、オレフィン系モノマーおよび上述した任意の共重合可能なコモノマー１種または複数から誘導されるオレフィンコポリマーとポリエチレンとのブレンド（例えば、エチレンとアクリル酸とのコポリマー、エチレンとメチルアクリレートとのコポリマー、エチレンとエチルアクリレートとのコポリマー、エチレンと酢酸ビニルとのコポリマー、エチレン、アクリル酸およびエチルアクリレートのコポリマー、エチレン、アクリル酸およびビニルアセテートのコポリマーなど）が挙げられる。
この改質剤に関しては、改質剤の実質的な分解または気化を引き起こさない任意の方法を用いてポリオレフィンに導入してもよい。これはメルトミキサーや押出機などの適当な任意の混合方法を利用することにより達成することができる。改質剤を、フレーク、顆粒状、またはペレット状のポリオレフィンとドライブレンドしてもよく、改質剤の液状溶融物、分散液、懸濁液、または溶液と、フレーク、顆粒状、またはペレット状のポリオレフィンと組み合わせてもよく、あるいはポリオレフィン中の改質剤の濃縮配合物をを最初に調製し、続いてポリオレフィン中の改質剤が最終的に所望の濃度となるまでポリオレフィンとブレンドしてもよい。かかる濃縮配合物を調製する場合は、改質剤を濃縮配合物中に約０．５〜５重量％の範囲で存在させることが可能である。
必要であれば、改質剤以外に他の成分をこのポリオレフィンに添加してもよい。かかる成分の例としては、顔料、酸化防止剤、酸中和剤、帯電防止剤、紫外線吸収剤およびヒンダードアミン安定剤が挙げられる。
ポリオレフィンが結晶化し始める前に改質剤の適当な分散体が得られることを条件として、ポリオレフィンの処理中のどの時点でこの改質剤をポリオレフィンに添加してもよい。
改質剤を所望量含むポリオレフィンを、従来技術において周知の任意の方法で必要に応じて物品に成形することが可能である。例えば、上記ポリマーに対して、射出成形、押出成形、熱成形、圧縮成形、プレス成形などを施し、所望の形状および物品を得ることが可能である。
以下の実施例を参照して本発明をさらに説明する。これらの実施例は一例として挙げるものであり、本発明を限定するものではないことは理解できよう。理論的収率の１００％をこえる収率が記録されたが、これは溶媒の不完全な除去および／または水の吸収により生じたものと考えられる。
実施例
添加物の調整（以下の調整例の内、調整例２、３、５および６により調整されたものは、参考例である。）
調製例１−ジリチウムビシクロ［２．２．１］ヘプト−５−エン−２，３−ジカルボキシレート
0003820440.tif 000007
ノルボルン−５−エン−２，３−ジカルボン酸（５．０２ｇ、２７．６ｍｍｏｌ）のＨ2Ｏ（１７０ｍＬ）懸濁液に、室温でＬｉＯＨ・Ｈ2Ｏ（２．５７ｇ、６１．３ｍｍｏｌ）を添加した。均質な溶液が得られるまで、ＭｅＯＨを撹拌しながら加えた。この溶液を真空中で除去し、得られた無色の結晶生成物を乾燥させた。
調製例２−２−メチル−３−ナトリウムビシクロ［２．２．１］ヘプト−５−エン−２，３−ジカルボキシレート
0003820440.tif 000008
ノルボルン−５−エン−２，３−無水ジカルボン酸（５．０５ｇ、３０．８ｍｍｏｌ）のＭｅＯＨ（５０ｍＬ）溶液にピリジン（５０μｌ）を加え、この反応混合物を攪拌しながら２時間かけて還流温度まで加熱した。溶媒を真空中で除去した。得られた固体残渣をＥｔＯＡｃに溶解し、１０％ＮａＨＣＯ3で３回抽出した。濃塩酸を用いて水層をｐＨ１となるまで酸性化し、ＥｔＯＡｃで３回抽出した。混合後の有機層をブラインで洗浄し、Ｎａ2ＳＯ4上で脱水した。溶媒を蒸発させると固形物（５．８７ｇ）が得られ、これをＥｔＯＡｃ／ヘキサン（１：１）から再結晶させて無色の結晶として生成物を得た。３．３７ｇ（５６％）、ｍｐ=１０２−１０３℃。
上記生成物（１．００ｇ、５．１ｍｍｏｌ）のＭｅＯＨ／Ｈ2Ｏ（１：１）溶液（２０ｍＬ）に、１Ｎ ＮａＯＨ（５．１ｍＬ，５．１ｍｍｏｌ）を加え、この反応混合液を室温で１５分間撹拌した。溶媒を真空中で除去し、得られた無色の粉末を乾燥させた。収率は１．００ｇ（９０％）、ｍｐ=２４４℃。
調製例 ３ − オクタデシルビシクロ［２．２．１］ヘプト−５−エン−３−カルボキシ−２−カルボキサミド
0003820440.tif 000009
オクタデシルアミン（３．３０ｇ、１２．２ｍｍｏｌ）のＣＨ2Ｃｌ2（１００ｍＬ）懸濁液に、ノルボルン−５−エン−２，３−無水ジカルボン酸（２．０１ｇ，１２．２ｍｍｏｌ）のＣＨ2Ｃｌ2溶液（１００ｍＬ）を加えた。この懸濁液を室温、Ｎ2−雰囲気下で５０時間攪拌した。溶媒を真空中で除去し、得られた無色の粉末を乾燥させた。収率は５．２５ｇ（９９％）、ｍｐ=１１５℃。
調製例 ４ − ジリチウムビシクロ［２．２．２］オクト−５−エン−２，３−ジカルボキシレート
0003820440.tif 000010
ビシクロ［２．２．２］オクト−５−エン−２，３−ジカルボン酸（１．０２ｇ、５．２ｍｍｏｌ）のＥｔＯＨ（２５ｍｌ）溶液に、ＬｉＯＨ・Ｈ2Ｏ（４３７ｍｇ、１０．４ｍｍｏｌ）のＨ2Ｏ（２５ｍｌ）溶液を添加した。この溶液を室温で１時間攪拌した。溶媒を除去し、得られた無色の固形物を乾燥させた。
調製例 ５ −２−メチル−３−ナトリウムビシクロ［２．２．２］オクト−５−エン−２，３−ジカルボキシレート
0003820440.tif 000011
ビシクロ［２．２．２］オクト−５−エン−２，３−無水ジカルボン酸（１．５１ｇ，８．５ｍｍｏｌ）のＭｅＯＨ（１５ｍＬ）溶液にピリジン（１５ｍＬ）を加え、還流温度まで２時間加熱した。溶媒を蒸発した。得られたベージュ色の濃縮液をＥｔＯＡｃ中に溶解し、５％ＨＣｌ洗浄し、１０％ＮａＨＣＯ3（３ｘ２５ｍＬ）で抽出した。水層をｐＨ=１になるまで濃ＨＣｌで酸性化させ、ＥｔＯＡｃ（３ｘ３０ｍＬ）で抽出した。有機層を合わせ鹹水で洗浄し、乾燥（Ｎａ2ＳＯ4）させた。溶媒を除去すると無色の固形物（１．３６ｇ）が得られ、生成物を無色の結晶として得られるまで、これをＥｔＯＡｃ／ヘキサンより再結晶させた。収率は１．０５ｇ（５９％）。
上記生成物（７４６ｍｇ，３．６ｍｍｏｌ）のＭｅＯＨ／Ｈ2Ｏ（２：１）溶液（３０ｍＬ）に、１Ｎ ＮａＯＨ（３．６ｍＬ，３．６ｍｍｏｌ）を加え、得られた溶液を室温で３０分間攪拌した。溶媒を真空中で除去し、残った無色の固体を乾燥した。
調製例 ６ − トランス−ビシクロ［２．２．１］ヘプト−５−エン−２，３−ジカルボン酸
0003820440.tif 000012
シクロペンタジエンとフマル酸モノエチルエステルとより調製されたトランス−ノルボルン−５−エン−２，３−ジカルボン酸モノエチルエステル（１０．６ｇ，５０．３ｍｍｏｌ）のＥｔＯＨ（３５ｍＬ）溶液に、ＮａＯＨ（６．２ｇ，１５５ｍｍｏｌ）のＨ２Ｏ（３０ｍＬ）溶液を室温で加えた。この反応混合液を室温で２．５時間攪拌し、濃ＨＣｌをｐＨ＝１となるまで添加した。真空中でエタノールを除去し、その残渣をＥｔＯＡｃ１５０ｍＬで抽出した。有機層を１０％ ＮａＨＣＯ3（３ｘ５０ｍＬ）で抽出し、水層を濃ＨＣｌでｐＨ=１となるまで酸性化し、さらにＥｔＯＡｃ（３ｘ５０ｍＬ）で抽出した。合わせた有機層をＮａ２ＳＯ４上で乾燥させた。溶媒を蒸発させると固形物（５．７４ｇ）が得られ、この生成物を無色の結晶として得るためにＥｔＯＡｃで再結晶させた。収率＝３．８９ｇ（４３％）、ｍｐ=１８７℃
調製例 ７ ジナトリウムビシクロ［２．２．１］ヘプト−５−エン−２，３−ジカルボキシレート
0003820440.tif 000013
ノルボルン−５−エン−２，３−ジカルボン酸（５．０１ｇ，２７．５ｍｍｏｌｅ）のＨ2Ｏ（５０ｍＬ）懸濁液に、１Ｎ ＮａＯＨ水溶液（５５ｍＬ，５５．０ｍｍｏｌ）を室温で加え、この反応混合液を均質な溶液が得られるまで攪拌した。溶媒を真空中で除去し、得られた無色の結晶生成物を乾燥させた。５．５７ｇ（９０％），ｍｐ=３８５Ｃ
調製例 ８ ジナトリウムビシクロ［２．２．１］ヘプト−５−エン−２，３−ジカルボキシレート
0003820440.tif 000014
ビシクロ［２．２．２］−ｏｃｔ−５−エン−２，３−無水ジカルボン酸（２．０１ｇ，１１．３ｍｍｏｌｅ）のＭｅＯＨ（５０ｍＬ）懸濁液に、１Ｎ ＮａＯＨ水溶液（２２．４ｍＬ，２２．４ｍｍｏｌ）を加えた。反応混合液を室温で１時間撹拌した。溶媒を真空中で除去し、得られた無色の固形物を乾燥させた。ｍｐ＞４００℃。
以下の実施例と比較例では、ポリオレフィン類と、清澄剤および／または成核添加剤との種々の組成物を調製した。これらの組成物について、米国材料試験協会（ＡＳＴＭ）Ｄ−７９４−８５に従って、示差走査熱分析（ＤＳＣ）を用いて２０℃／分の速度で動作させて結晶化特性を測定し、さらにＡＳＴＭ Ｄ  １００３−９２を基にヘーズを測定することにより評価を行った。全ての所定のパーセント値は特に明記しない限り重量％を示す。
組成例
Ｈａａｋｅ  Ｒｈｅｏｃｏｒｄ  ９０メルトミキサーにおいて、調製例１の化合物０．９５０ｇと、オハイオ州ＣｉｎｃｉｎｎａｔｉのＱｕａｎｔｕｍ  Ｃｈｅｍｉｃａｌ  Ｃｏ．から入手可能なＱｕａｎｔｕｍTM  ８３１０  ＧＯを１９０ｇとを混合することによって、本発明の組成物を生成した。このポリマーは、エチレンを３％含むランダムコポリマーであり、ＩｒｇａｎｏｘTM  １０１０酸化防止剤３００ｐｐｍと、ＵｌｔｒａｎｏｘTM  ６２６酸化防止剤５００ｐｐｍと、ステアリン酸カルシウム１０００ｐｐｍとからなる添加剤パッケージを含有していた。
上記組成物を２００℃かつ１５ｒｐｍで３分間混合し、続いて１７０℃かつ５０ｒｐｍでさらに５分間混合したなお、２つの条件設定の間には１分間の移行時間を設けた。
組成物の結晶化パラメーターをＤＳＣにより測定した。試料を２００℃まで加熱し、１０分間保持し、２０℃／分の速度で約４０℃まで冷却した。結晶化開始温度とピーク温度とを記録した。
組成物の清澄化能力を測定するため、カーバーＣａｒｖｅｒホットプレスで組成物６．５〜７ｇを２００℃、３分間加熱することにより、曇った圧縮成形プラックを作製した。０．５ｍｍのスペーサを用いて３分で上記の試料を（１０，０００ｐｓｉ）までプレスした。次に、このプラックを２０〜２５℃まで水冷した。つづいてＢＹＫ  Ｇａｒｄｅｎｅｒ  ＸＬ−２１１  Ｈａｚｅｇａｒｄ  Ｓｙｓｔｅｍにて曇り度パーセントを測定し、曇り度を求めた。
同様な組成物をオレフィンおよび表１に示す化合物より調製した。
対照例
対照例では、成核剤または清澄剤を全く使用しない点を除いて、組成例で述べた方法と同様な方法で圧縮成形されたプラックを作製した。Ｃｉｎｃｉｎｎａｔｉ  Ｍｉｌａｃｒｏｎ  ５０  ＡＣＴ−Ｄ射出成形装置を用いてプラックを作製することによって、対照材料の曇り度％を求めた。この装置を２３０℃で動作させ、金型を３２℃に維持した。約３０秒後、１．２ｍｍ厚のプラックを離型し、上述のように評価を行った。
上記組成例に述べたように、種々の成核／清澄剤をポリオレフィンに配合し、ヘーズと結晶化度について評価を行った。結果を表１に示す。
0003820440.tif 000015
0003820440.tif 000016
上記に挙げた値について見ると、結晶化温度の上昇はポリマーの不均一な核生成が促進されたことを示唆し、またヘーズ値の減少はポリマーの透明度が改善されたことを示している。
上記の明細書および実施例は、本発明を完全に説明するものである。しかしながら、本発明の趣旨および範囲から逸脱することなく多くの変形例が可能であるため、本発明の範囲は以下の請求の範囲によってのみ判断される。